(57)【要約】【課題】停止中のホストコンピュータに代行して為替相場を用いる取引を実行する手段を提供する。【解決手段】中継サーバ１５は、ホストコンピュータ１１が停止している間、自動取引装置１から口座番号と暗証番号を受信し、該口座番号をもとに口座データベース１５ａから暗証番号を読み出し、その暗証番号と受信した暗証番号を照合して顧客を確認し、ホストコンピュータ１１が管理する口座情報の口座残高の通貨と異なる通貨の取引金額を自動取引装置１から受信し、為替データベース１５ａに格納している為替相場をもとに取引金額を口座残高の通貨に換算し、その換算額に従い取引処理を行ってその取引履歴を取引データベース１５ｃに格納することを特徴とする。【選択図】図１
2010066849.tif 000002
【特許請求の範囲】
【請求項１】
金融機関に設置され顧客の口座情報を管理する上位装置の停止中に顧客が取引端末を利用して行う取引を前記上位装置に代行して実行する代行処理装置であって、
前記上位装置から定期的に受信する外貨の為替相場の情報と、顧客の口座情報と、代行した取引履歴を格納するデータベースとを有し、
上位装置が停止している間、取引端末を利用する顧客と為替相場を用いる取引を行う場合、取引端末から顧客の口座番号と識別子を受信すると、その口座番号をもとに前記データベースから該口座番号に関連する識別子を読み出し、受信した識別子と読み出した識別子とを照合することで顧客を確認し、
前記上位装置が管理する口座情報の口座残高の通貨と異なる通貨の取引金額を前記取引端末から受信すると、前記データベースに格納している為替相場の情報をもとに前記取引金額を前記上位装置が管理する通貨に換算し、その換算額に従い取引処理を行ってその取引履歴を前記データベースに格納することを特徴とする代行処理装置。
【請求項２】
請求項１に記載の代行処理装置において、
前記上位装置の復旧後、前記上位装置から停止中に変動した為替相場の履歴を受信し、前記データベースから取引履歴を読み出し、受信した為替相場の履歴をもとに該取引履歴の日時に応じた為替相場を特定し、該為替相場を用いて前記取引履歴の取引金額の実際の換算額を算出し、その実際の換算額をもとに前記取引履歴の内容を更新し、更新した取引履歴を前記上位装置に送信することを特徴とする代行処理装置。
【請求項３】
請求項２に記載の代行処理装置において、
前記実際の換算額よりも前記仮の換算額の方が多いときは、口座残高に差額分を加えるようにし、また前記仮の換算額よりも前記実際の換算額の方が多いときは、口座残高からさらに差額分を差し引くようにすることで、前記実際の換算額に合わせた口座残高を再計算することを特徴とする代行処理装置。
【請求項４】
請求項１から請求項３に記載の代行処理装置において、
実際の為替相場を用いて前記取引金額の実際の換算額を算出したあと、その実際の換算額と前記実際の為替相場を示す電子メールを顧客の端末宛に送信することを特徴とする代行処理装置。
【発明の詳細な説明】
【技術分野】
【０００１】
本発明は、金融機関のセンタに設置されたホストコンピュータが障害による停止から復帰するまでの間の代行処理を行う代行処理装置に関する。
【背景技術】
【０００２】
従来の代行処理装置は、ホストコンピュータが停止した状態でＡＴＭ等の自動取引装置から与信要求データが送られてくると、代行処理手段によって予め定義された代行方法によって与信処理を行い、処理を行った与信要求データと顧客の識別子とを記憶しておき、ホストコンピュータが再稼働した際に、記憶した上記与信要求データおよび顧客の識別子をホストコンピュータに転送するようにしている（例えば、特許文献１参照。）。
【特許文献１】特開平０６−４５０１号公報（段落「００４９」−「００５３」、第２図）
【発明の開示】
【発明が解決しようとする課題】
【０００３】
しかしながら、上述した従来の技術においては、為替情報が関わる海外の金融機関のホストコンピュータに対する代行処理には適用できないという問題がある。
本発明は、上記の問題点を解決するための手段を提供することを目的とする。
【課題を解決するための手段】
【０００４】
本発明は、上記課題を解決するために、金融機関に設置され顧客の口座情報を管理する上位装置の停止中に顧客が取引端末を利用して行う取引を前記上位装置に代行して実行する代行処理装置であって、前記上位装置から定期的に受信する外貨の為替相場の情報と、顧客の口座情報と、代行した取引履歴を格納するデータベースとを有し、上位装置が停止している間、取引端末を利用する顧客と為替相場を用いる取引を行う場合、取引端末から顧客の口座番号と識別子を受信すると、その口座番号をもとに前記データベースから該口座番号に関連する識別子を読み出し、受信した識別子と読み出した識別子とを照合することで顧客を確認し、前記上位装置が管理する口座情報の口座残高の通貨と異なる通貨の取引金額を前記取引端末から受信すると、前記データベースに格納している為替相場の情報をもとに前記取引金額を前記上位装置が管理する通貨に換算し、その換算額に従い取引処理を行ってその取引履歴を前記データベースに格納することを特徴とする。
【発明の効果】
【０００５】
これにより、本発明は、為替相場を用いる海外の金融機関のホストコンピュータの代行処理を行うことが可能となるという効果が得られる。
【発明を実施するための最良の形態】
【０００６】
以下に、図面を参照して本発明による代行処理装置の実施例について説明する。
【実施例１】
【０００７】
図１は実施例１の代行処理装置を含む代行処理システムを示すブロック図である。
本発明における代行処理システムは、海外に拠点をおく海外金融機関で用いられるものであるため、センタは海外に設置されているものとする。
図１において、１は銀行等の金融機関の営業店やコンビニエンスストア等に設置される自動取引装置であり、入力部２、表示部３、カードリードライト部４、現金入出金部５、制御部６、記憶部７、通信部８、及び図示しない通帳記帳機、レシートプリンタ等を備えている。
【０００８】
入力部２と表示部３は自動取引装置１正面の接客面に露出させても設けられており、入力部２は表示面を上に向けたＣＲＴディスプレイまたは液晶ディスプレイ等による表示部３上に配置したタッチパネルが用いられ、表示部３に顧客の操作を誘導するメッセージを配した画面や各種の入力キーを表示し、その入力キーをタッチパネル上から指で押下することにより、入力キーに定義された情報を入力できるものとなっていて、表示部３は入力された情報の表示等も行うようになっている。
【０００９】
カードリードライト部４は、顧客の取引カードに設けられた磁気ストライプに対してデータの読取及び書込みを行う機能を有し、そのカード挿入返却口は前記接客面に設けられている。
現金入出金部５は、取引に伴う現金の入出金処理を行うもので、紙幣を扱う紙幣入出金機と硬貨を扱う硬貨入出金機により構成され、その紙幣入出金口と硬貨出金口は前記接客面に設けられている。
【００１０】
制御部６は、記憶部７に格納されている制御プログラムに基づいて入力部２や表示部３、カードリードライト部４、現金入出金部５等を制御して各種の取引を遂行する機能を有しており、その遂行に当たっては、通信部８によって専用回線等の国内通信回線１０を介し、国内に設置された金融機関の中継サーバ（代行処理装置）１５を中継することで、海外センタに設置されたホストコンピュータ(上位装置)１１と通信を行い、必要な情報の授受を行うものとなっている。
【００１１】
記憶部７は、制御部６が実行する制御のための制御プログラムを格納している他、制御部６による処理結果等を記憶する。
ホストコンピュータ１１は、口座を開設している各顧客の氏名、口座番号、暗証番号（識別子）及び口座残高等を顧客口座情報として記憶したデータベースを有し、その顧客口座情報を管理している。
【００１２】
１２は為替サーバであり、海外センタに設置されて図示しない専用回線と接続し、海外通貨に対する最新の為替相場を定期的に取得し、その取得した為替相場の情報を格納して管理する。
中継サーバ１５は、サーバ制御部１７とサーバ記憶部１８とを備えている。
サーバ制御部１７は、サーバ記憶部１８が格納する中継サーバ１５の制御プログラムに従って、海外センタとの通信のための海外通信回線１６を介してホストコンピュータ１１と通信可能に接続し、ホストコンピュータ１１から顧客口座情報や為替相場の情報等を取得する他、ホストコンピュータ１１が停止した際にホストコンピュータ１１が行う処理を代行する代行処理を実行する機能を有する。
【００１３】
サーバ記憶部１８は、制御プログラムを格納する他、サーバ制御部１７による処理結果等を記憶する。
また中継サーバ１５は、為替相場の情報を格納する為替データベース１５ａと、顧客口座情報を格納する口座データベース１５ｂ、代行取引の代行取引履歴を格納する取引データベース１５ｃとを備えており、為替サーバ１２と定期的に通信を行うことで、為替データベース１５ａに格納する為替相場の情報を更新し、またホストコンピュータ１１との間で定期的に通信を行って口座データベース１５ｂに格納する顧客口座情報を取得し、既に取得している顧客口座情報についてはその内容の更新を行っている。
【００１４】
また中継サーバ１５は、ホストコンピュータ１１が障害等で停止したときにホストコンピュータ１１が行う処理を代行する代行処理を行う機能を有しており、代行処理を行った代行取引の代行取引履歴を取引データベース１５ｃに格納する。
図２は為替データベースのデータ例を示す説明図である。
為替データベース１５ａは、図２に示すように通貨の種類を示す通貨コードと、その通貨コードに対応する通貨名、日本円を基準とした各通貨の為替相場を示す外国為替相場、その外国為替相場を最後に更新した日を示す最終更新日をそれぞれ対応づけて格納している。
【００１５】
図３は口座データベースのデータ例を示す説明図である。
口座データベース１５ｂは、図３に示すように顧客の氏名と口座番号、口座残高、暗証番号等の顧客口座情報に加え、その顧客との最終取引日、金融商品の案内等の各種通知を顧客の携帯電話やパソコン等の顧客端末に電子メールで送信するためのその顧客端末の顧客メールアドレス等を対応づけて格納している。
【００１６】
図４は取引データベースのデータ例を示す説明図である。
取引データベース１５ｃに格納される代行取引履歴は、図４に示すように取引の順序で採番されて取引順を示す取引コード、取引種別、取引金額、その取引で用いた為替相場（仮為替相場という。）、顧客の口座番号、取引日時等によって構成される。
上述した構成の作用について、図５に示す実施例１の代行処理システムの動作を示すフローチャートを用い、ホストコンピュータ１１が障害等によって停止している状態で中継サーバ１５が行う代行処理について、Ｓで示すステップに従って説明する。
【００１７】
また、本実施例においては、顧客が米ドルを預金している口座から、日本円を出金する場合で説明する。
Ｓ１、自動取引装置１の制御部６は、表示部３に出金取引や入金取引等の取引選択キー等を配した取引選択画面を表示して待機する。
顧客は表示された取引選択画面から出金取引の取引選択キーを押下する。
【００１８】
Ｓ２、制御部６は、表示部３に顧客の取引カードの挿入を促すカード挿入画面を表示する。
顧客はカード挿入画面に従い、取引カードをカードリードライト部４のカード挿入返却口に挿入する。
Ｓ３、制御部６は、カードリードライト部４によって取引カードから顧客の口座情報を読取ってその口座情報を記憶部７に記憶し、表示部３に暗証番号の入力を促す案内画面と入力のためのテンキー等を配した暗証番号入力画面を表示する。
【００１９】
顧客は暗証番号入力画面に従って、暗証番号を入力する。
Ｓ４、制御部６は、入力された暗証番号を記憶部７に記憶しておき、記憶部７から口座情報と暗証番号とを読み出し、その口座情報と暗証番号を付した顧客認証依頼を通信部８によって国内通信回線１０を介し中継サーバ１５に送信する。
Ｓ５、中継サーバ１５のサーバ制御部１７は、顧客認証依頼を受信すると、その顧客認証依頼の口座番号と暗証番号とをサーバ記憶部１８に記憶しておき、海外通信回線１６を介してホストコンピュータ１１に対して稼動中であるか否かを確認するための電文を送信し、ホストコンピュータ１１が障害等の発生で停止し、送信した電文に対する応答が無いことを認識して、ホストコンピュータ１１が停止中であることを確認する。
【００２０】
Ｓ６、サーバ制御部１７は、記憶した口座番号と暗証番号とを読み出し、その口座番号をもとに口座データベース１５ｂを検索して該当する顧客口座情報の暗証番号を抽出し、抽出した暗証番号と読み出した暗証番号とを比較し、両暗証番号の一致を確認することで顧客の確認を行う。
Ｓ７、サーバ制御部１７は、顧客確認済電文を国内通信回線１０を介して自動取引装置１に送信する。
【００２１】
Ｓ８、制御部６は、顧客確認済電文を受信すると、表示部３に出金金額の入力を促す文言と、出金金額入力のためのテンキー等を配した出金金額入力画面を表示する。
ここで、顧客は出金金額入力画面に従って出金金額の入力を行い、入力する出金金額の単位は日本円である。
Ｓ９、制御部６は、入力された出金金額を記憶部７に記憶し、その出金金額を付した出金金額情報を通信部８によって国内通信回線１０を介して中継サーバ１５に送信する。
【００２２】
Ｓ１０、サーバ制御部１７は、上記ステップＳ６で検索した顧客口座情報の口座残高を抽出し、為替データベース１５ａから仮為替相場としての米ドルの為替相場を読み出して受信した出金金額と読み出した米ドルの為替相場とから出金金額を米ドルに換算した仮の換算額を算出する。
これは、ホストコンピュータ１１および口座データベース１５ｂで格納する顧客口座情報の口座残高の通貨が米ドルであり、一方自動取引装置１から受信した出金金額が日本円であるために、出金金額の通貨を口座残高の通貨へと換算している。
【００２３】
サーバ制御部１７は、仮の換算額よりも口座残高が所定の割合以上で上回っていることを確認し、読み出した外国為替相場を国内通信回線１０を介して自動取引装置１に送信する。
またサーバ制御部１７は、受信した出金金額と上記で算出した仮の換算額、仮為替相場をサーバ記憶部１８に記憶しておくものとする。
【００２４】
ここで、図６は仮為替相場通知画面を示す説明図である。
Ｓ１１、制御部６は、受信した外国為替相場を仮為替相場として図６に示すように「現在の取引は仮為替で行われています。」等の仮為替相場に基づく取引である旨の文言と、仮為替相場による米１ドル当たりの日本円の金額、「後日、実際の為替相場をもとに再計算されます。上記内容を承諾した場合のみ取引を続けることができます。承諾する場合、“承諾する”を、承諾しない場合、“承諾しない”を押してください。」等の文言、“承諾する” キー、“承諾しない”キー等を配した仮為替相場通知画面を表示して、後に再計算をした際に、実際の換算額よりも仮の換算額の方が多いときは、口座残高から差額分を差し引き、また仮の換算額よりも実際の換算額の方が多いときは、口座残高に差額分を加えることを承諾させる。つまり、現在取引をすることでリスクを生じることを顧客に伝え、そのリスクを背負うことを承諾させる。
【００２５】
Ｓ１２、制御部６は“承諾する”キーが入力されたことを認識すると、取引実行指示を通信部８によって国内通信回線１０を介して中継サーバ１５に送信する。
Ｓ１３、サーバ制御部１７は、取引実行指示を受信すると、取引コードを採番すると共に、記憶した仮為替相場を読み出す。
また、サーバ制御部１７は、出金金額を読み出していることから取引種別が出金取引であることを認識し、図示しないタイマー機能で現在日時を取引日時として認識し、取引コードと顧客の口座番号、取引種別（本実施例では出金取引）、取引金額（本実施例では出金金額）、仮為替相場、取引日時を関連づけて代行取引履歴として取引データベース１５ｃに記憶する。
【００２６】
Ｓ１４、サーバ制御部１７は、記憶した仮の換算額を読み出し、顧客口座情報の口座残高から仮の換算額を差し引き、さらに最終取引日の変更等を行うことで顧客口座情報を更新し、国内通信回線１０を介して自動取引装置１に出金開始指示を送信する。
またサーバ制御部１７は、仮の換算額にもとづいて定められる手数料を算出し、その手数料分を顧客口座情報の口座残高から差し引くものとする。
【００２７】
Ｓ１５、制御部６は、記憶部７から出金金額を読み出し、その出金金額に従って現金入出金部５から現金を出金すると共に、挿入されている顧客の取引カードを返却する。
Ｓ１６、制御部６は、表示部３に出金取引が完了した旨と、後日実際の為替相場により出金金額を再計算し、再計算した口座残高等を顧客メールアドレス宛に送信する旨の取引終了通知画面を表示して出金取引を終了する。
【００２８】
次に、上述した取引におけるホストコンピュータ１１が復帰した後の処理について、図７に示すホストコンピュータ復帰後の処理を示すフローチャートを用い、ＳＡで示すステップに従って説明する。
ＳＡ１、ホストコンピュータ１１は、障害から復帰すると為替サーバ１２との間で交信処理を行って停止している間で為替相場の変動の履歴および現在の為替相場の情報を取得し、取得した変動の履歴および現在の為替相場を付した更新為替情報を海外通信回線１６を介して中継サーバ１５に送信する。
【００２９】
ＳＡ２、中継サーバ１５のサーバ制御部１７は、受信した更新為替情報に付された現在の為替相場を為替データベース１５ａに既に記憶していた古い為替相場と置き換えて記憶することで、新しい為替相場に更新し、受信した為替相場の変動の履歴をサーバ記憶部１８に記憶する。
ＳＡ３、サーバ制御部１７は、取引データベース１５ｃから代行取引履歴を読み出すと共に、記憶した為替相場の変動の履歴を読み出し、代行取引履歴の取引日時に応じた為替相場を為替相場の変動の履歴から検索し、取引時の実際の為替相場を特定する。
【００３０】
次にサーバ制御部１７は、実際の為替相場と読み出した代行取引履歴の出金金額から、日本円から米ドルへ換算した実際の換算額を算出する。
なお、サーバ制御部１７は、読み出した代行取引履歴の出金金額と取引日時、算出した実際の換算額、実際の為替相場をサーバ記憶部１８に記憶する。
ＳＡ４、サーバ制御部１７は、記憶している出金金額と実際の換算額、代行取引履歴の仮為替相場を読み出すと共に、代行取引履歴の口座番号をもとに口座データベース１５ｂを検索して該当する顧客口座情報の口座残高を読み出し、読み出した出金金額と仮為替相場から顧客との取引で換算した仮の換算額を算出し、仮の換算額と読み出した実際の換算額との差額を算出し、算出した差額を用いて口座残高の再計算を行う。
【００３１】
具体的には、実際の換算額よりも仮の換算額の方が多いときは、口座残高に差額分を加えるようにし、また仮の換算額よりも実際の換算額の方が多いときは、口座残高からさらに差額分を差し引くようにすることで、実際の換算額に合わせた口座残高を再計算する。
さらにサーバ制御部１７は、実際の換算額にもとづいて定められる手数料を算出し、その手数料と、仮の換算額に基づく手数料との差を算出し、その差にもとづいて口座残高から手数料の差分の徴収あるいは返還を行うものとする。
【００３２】
また、サーバ制御部１７は、検索した顧客口座情報から顧客メールアドレスを読み出しておき、その顧客メールアドレスを記憶しておくものとする。
ＳＡ５、サーバ制御部１７は、上記で特定した実際の為替相場と再計算した口座残高とをサーバ記憶部１８に記憶しておき、代行取引履歴の仮為替相場を実際の為替相場に置き換えて代行取引履歴の内容を更新し、その代行取引履歴を海外通信回線１６を介してホストコンピュータ１１に送信する。
【００３３】
ここで、代行取引履歴の更新は、ホストコンピュータ１１が復旧する前の取引履歴に対して上書きするように更新してもよいし、上書きせずに復旧前の取引履歴を残す形で更新内容を追加するようにしてもよい。
ＳＡ６、ホストコンピュータ１１は、受信した代行取引履歴の内容をもとにデータベースに記憶している顧客口座情報の口座残高等の内容を更新し、更新が終了した旨の更新終了通知を海外通信回線１６を介して中継サーバ１５に送信する。
【００３４】
ＳＡ７、サーバ制御部１７は、上記ステップＳＡ３で記憶した出金金額と取引日時、算出した実際の換算額、実際の為替相場、上記ステップＳＡ５で記憶した再計算した口座残高を読み出し、これらの内容と上記で算出した実際の換算額の手数料を示す情報、実際の為替相場をもとに出金金額の再計算を行った旨を示す再計算通知メールを作成し、記憶した顧客メールアドレス宛に再計算通知メールを送信し、ホストコンピュータ１１が復帰した後の処理を終了する。
【００３５】
ここで、図８は再計算通知メールを示す説明図である。
顧客が電子メールで受信した再計算通知メールは、図８に示すように「○月×日ｘｘ時ｘｘ分ｘｘ秒に出金されました、仮為替の取引が実際の為替相場をもとに再計算されました。詳細内容をお知らせします。」等のある取引日時での仮為替の取引が実際の為替相場で再計算された旨の文言、取引時での実際の為替相場から１米ドルあたりの日本円を示す内容、出金金額として実際の為替相場をもとに日本円を米ドルに換算したときの実際の換算額、その換算額にもとづく手数料、上記の内容による口座残高等を示すものとなっている。
【００３６】
以上説明したように、本実施例では、海外金融機関のホストコンピュータが停止しても、中継サーバが代行処理装置として自動取引装置との間で取引処理を行うと共に、予め格納している為替相場を用いることで、為替相場を用いた取引処理を実行し、ホストコンピュータの復帰後に取引時の実際の為替相場を用いて顧客の口座残高等の再計算を行うため、為替相場が関わる海外金融機関のホストコンピュータが停止しても、その代行処理を実行できる。
【００３７】
また、ホストコンピュータが復帰した後、中継サーバが再計算や、顧客への再計算通知メールの送信、ホストコンピュータへの再計算の内容へと更新した代行取引履歴の送信等の処理を行うため、ホストコンピュータが行う処理の負担を軽減することができる。
なお、上記実施例１においては、同一の金融機関内での取引を例に説明したが、他行への取引を行う場合に適用しても同様の効果を得ることができる。
【００３８】
さらに出金取引を例に説明したが、入金取引や振込取引等の他の取引に適用してもよい。
入金取引の場合、出金取引とは逆の再計算の仕方をする。つまり具体的には実際の換算額より仮の換算額の方が多いときは、口座残高から差額分を差し引くようにし、また仮の換算額より実際の換算額の方が多いときは、口座残高に差額分を加えるようにすることで、実際の換算額に合わせた口座残高を再計算する。
【００３９】
振込取引の場合は、出金取引と同様の方法で再計算する。
また、ホストコンピュータは海外に設置したものとして説明したが、国内に設置したものであってもよい。
加えて、仮為替相場通知画面や再計算通知メールの文言を日本語で表記したものを例に説明したが、英語等の外国語に適用可能である。
【００４０】
上記実施例１においては、為替データベースと口座データベースと取引データベースをそれぞれ別の情報を格納して別個に存在しているものとして説明したが、これらの情報を１つのデータベースに格納しておいてもよい。
また、上記実施例１においては、顧客が自動取引装置を用いて行う取引を例に説明したが、携帯端末やパソコン等の取引端末と中継サーバをインターネット回線で繋ぐことでインターネットバンキングを用いた取引に適用してもよい。
【００４１】
さらに、上記実施例１においては、出金取引を行う顧客にリスクを承諾させることにより、仮の換算額よりも実際の換算額の方が多いときは、口座残高から差額分を差し引くようにしたが、仮の換算額よりも実際の換算額の方が多いときに金融機関側がリスクを背負うようにして仮の換算額よりも実際の換算額の方が多いときは口座残高から差額分は差し引かないが、一方実際の換算額よりも仮の換算額の方が多いときには口座残高に差額分を加えるようにしてもよい。
【００４２】
この場合には実際の換算額よりも仮の換算額の方が多いときは、顧客にリスクが生じないため、再計算通知メールを送信しなくてもよい。
またこのようにした場合は、顧客がリスクを背負うことが無いので、承諾させることがない。
【図面の簡単な説明】
【００４３】
【図１】実施例１の代行処理装置を含む代行処理システムを示すブロック図
【図２】為替データベースのデータ例を示す説明図
【図３】口座データベースのデータ例を示す説明図
【図４】取引データベースのデータ例を示す説明図
【図５】実施例１の代行処理システムの動作を示すフローチャート
【図６】仮為替相場通知画面を示す説明図
【図７】ホストコンピュータ復帰後の処理を示すフローチャート
【図８】再計算通知メールを示す説明図
【符号の説明】
【００４４】
１    自動取引装置
２    入力部
３    表示部
４    カードリードライト部
５    現金入出金部
６    制御部
７    記憶部
８    通信部
１０  国内通信回線
１１  ホストコンピュータ
１２  為替サーバ
１５  中継サーバ
１５ａ  為替データベース
１５ｂ  口座データベース
１５ｃ  取引データベース
１６  海外通信回線
１７  サーバ制御部
１８  サーバ記憶部
【図１】
2010066849.tif 000003
【図２】
2010066849.tif 000004
【図３】
2010066849.tif 000005
【図４】
2010066849.tif 000006
【図５】
2010066849.tif 000007
【図６】
2010066849.tif 000008
【図７】
2010066849.tif 000009
【図８】
2010066849.tif 000010